(57)【要約】      （修正有）【課題】厨房設備等における防火ダンパーの着脱作業の簡易迅速性並びに経済性を向上し、飲食店等における防火ダンパー等の洗浄作業及びメンテナンス作業の簡易迅速性と経済性を向上できる防火ダンパーの取付装置とこれに使用する着脱用台座を提供する。【解決手段】排気ダクト１に防火ダンパー２を着脱自在に取り付ける装置において、排気ダクト１のダクト開口部に固定する固定フランジ部を設けるとともに防火ダンパー２の取付フランジ部８との接合フランジ部を設け、かつ接合フランジ部に防火ダンパー２の取付フランジ部８に開口した取付穴に係合して、防火ダンパー２の取付フランジ部８を固定する取付用ボルト１５を立設するとともに中央部に防火ダンパー２の本体部６を装通する装通口を開口することにより構成した着脱用台座１０を、排気ダクト１のダクト開口部に介装し、防火ダンパー２を着脱自在に取り付ける。【選択図】図２
0003204122.tif 000002
【実用新案登録請求の範囲】
【請求項１】
排気ダクトに防火ダンパーを着脱自在に取り付ける装置において、
前記排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより構成した着脱用台座を、
前記排気ダクトの開口部に介装し、前記防火ダンパーを着脱自在に取り付けることにより構成したことを特徴とする防火ダンパーの取付装置。
【請求項２】
前記着脱用台座は、前記固定フランジ部を前記排気ダクトの開口部に固定ネジを螺着して固定するとともに前記装通口を介して、
前記防火ダンパーの本体部を装通し、該本体部の装通口への装通に関連して防火ダンパーの取付フランジ部の取付穴に、着脱用台座の接合フランジ部に立設した取付用ボルトを係合しつつ、前記防火ダンパーの取付フランジ部を着脱用台座の接合フランジ部に接合して重合し、かつ前記着脱用台座の取付用ボルトに固定ナットを螺着することにより前記防火ダンパーを着脱用台座に固定し、前記排気ダクトの開口部に前記着脱用台座を介装しつつ前記防火ダンパーを着脱自在に取り付けることにより構成したことを特徴とする請求項１記載の防火ダンパーの取付装置。
【請求項３】
前記防火ダンパー用の各種フィルターを着脱自在に装着したアタッチメントボックスを、
前記着脱用台座の固定ボルトを介して着脱自在に取り付けるように構成したことを特徴とする請求項１または２記載の防火ダンパーの取付装置。
【請求項４】
排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする排気ダクトに防火ダンパーを着脱自在に取り付ける防火ダンパーの取付装置に使用する着脱用台座。
【請求項５】
排気ダクトに防火ダンパーを着脱自在に取り付ける装置において、
前記排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口し、
さらに前記固定フランジ部または前記接合フランジ部のいずれか一方に補助フランジ部を設けることにより構成した着脱用台座を、
前記排気ダクトの開口部に介装し、前記防火ダンパーを着脱自在に取り付けることにより構成したことを特徴とする防火ダンパーの取付装置。
【請求項６】
前記着脱用台座は、前記固定フランジ部を前記排気ダクトの開口部に固定ネジを螺着して固定するとともに前記装通口を介して、
前記防火ダンパーの本体部を装通し、該本体部の装通口への装通に関連して防火ダンパーの取付フランジ部の取付穴に、着脱用台座の接合フランジ部に立設した取付用ボルトを係合しつつ、前記防火ダンパーの取付フランジ部を着脱用台座の接合フランジ部に接合して重合し、かつ前記着脱用台座の取付用ボルトに固定ナットを螺着することにより前記防火ダンパーを着脱用台座に固定し、前記排気ダクトの開口部に前記着脱用台座を介装するとともに前記着脱用台座の固定フランジ部または接合フランジ部あるいはそのいずれか一方の補助フランジ部を排気ダクトの開口部に固定しつつ前記防火ダンパーを着脱自在に取り付けることにより構成したことを特徴とする請求項５記載の防火ダンパーの取付装置。
【請求項７】
前記防火ダンパー用の各種フィルターを着脱自在に装着したアタッチメントボックスを、
前記着脱用台座の固定ボルトを介して着脱自在に取り付けることにより構成したことを特徴とする請求項５または６記載の防火ダンパーの取付装置。
【請求項８】
排気ダクトの開口部に固定する固定フランジ部を設けるとともに前記防火ダンパーの取付フランジ部との接合フランジ部を設け、かつ前記固定フランジ部または前記接合フランジ部のいずれか一方に補助フランジ部を設け、
さらに、該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする排気ダクトに防火ダンパーを着脱自在に取り付ける防火ダンパーの取付装置に使用する着脱用台座。
【考案の詳細な説明】
【技術分野】
【０００１】
本考案は、ＦＳ（ファイヤーシャッター）またはＦＤ（ファイヤーダンパー）等の防火ダンパーをダクトに取り付けるための取付装置に関するもので、特にＦＳ/ＦＤあるいはＦＶＳ/ＦＶＤ（ＦｉｒｅＶｏｌｕｍｅ/Ｄｕｍｐｅｒ）等をダクトに接続して取り付ける取付装置と装置に使用する着脱用台座であって、さらにＦＳ/ＦＤあるいはＦＶＳ/ＦＶＤの取り付けに関連して、ＦＳ/ＦＤあるいはＦＶＳ/ＦＶＤに必要とされる各種フィルターの取り付けに使用されるフィルター取付枠等のアタッチメントの装備をも取り付け可能とする多機能型取付装置の提供を目的とするものである。
【背景技術】
【０００２】
飲食店の厨房設備に於けるＦＳ/ＦＤあるいはＦＶＳ/ＦＶＤに対しては、その着脱作業の簡易性を実現する発明として、特開２０１４−１４９１２９号公報記載の防火ダンパー取付構造が提案されている（特許文献１）。
【０００３】
すなわち、当該特許文献１の防火ダンパー取付構造は、ダクトの入口に設けられた取付枠に、防火ダンパーを着脱自在に取り付ける防火ダンパー取付構造であって、取付枠及び防火ダンパーの少なくとも一方に設けられ、防火ダンパーを取付枠に取り付けるための締結具を有することを特徴とするもので、締結具（例えば、取付枠及び防火ダンパーの一方に設けられたクレセント錠と、取付枠及び防火ダンパーの他方に設けられた受け具の組みである）は、取付枠及び防火ダンパーの少なくとも一方に設けられているため、一方の手で防火ダンパーを支えた状態で、他方の手で締結具に容易に接触して操作することができ、取付枠に対して防火ダンパーを取り外し及び固定する作業を容易に行なうことができるものである。
【０００４】
また、前記特許文献１記載の防火ダンパー取付構造と同様の作業性を目的とする実用新案登録第３１９２８０５号公報記載の排気ダクト用防火シャッターシステムが提案されている（特許文献２）。
【０００５】
当該特許文献２の排気ダクト用防火シャッターシステムは、排気ダクトに設けられるダンパースロットとこれに対して着脱自在なダンパー本体とで構成され、ダンパースロットは自身の内壁の一対の対向面の各々にダンパー本体を仮係止するダンパースロット側仮係止部を有し、ダンパー本体は自身の外壁の一対の対向面の各々に備えられた自身がダンパースロット内の空間に挿入された状態で仮係止部と対となって自身をダンパースロットに対して仮係止するダンパー本体側仮係止部と、ダンパー本体の互いに平行な複数の回転軸を中心に開閉可能な複数のダンパー板と、複数のダンパー板のうち少なくとも２枚のダンパー板を片手で掴めるように開状態にて固定する固定部を有する構成としたものである。
【先行技術文献】
【特許文献】
【０００６】
【特許文献１】特開２０１４−１４９１２９号公報
【特許文献２】実用新案登録第３１９２８０５号公報
【考案の概要】
【考案が解決しようとする課題】
【０００７】
厨房における防火ダンパーの一般的な構造については、図９、図１０に示す如く構造物に装備される排気ダクト１００に対して、燃焼設備１０１の火源１０２の上側に対向せしめつつグリスフィルター１０３を介装して防火ダンパーとしてのＦＤ１０４を取り付けることにより構成されるとともに火源１０２における油煙をグリスフィルター１０３により除去しつつＦＤ１０４を介して排気ダクト１００により厨房室外に排気することができるように構成されている。
【０００８】
そして、当該厨房における防火ダンパー１０４並びにグリスフィルター１０３の定期的な清掃作業が消防法等により要求されているとともに同清掃作業における防火ダンパー１０４の取り外し、取り付け作業の困難性から防火ダンパー１０４の着脱作業の簡易化を目的として開発された点については、特許文献１の発明の詳細な説明段落〔０００２〕〜〔００２０〕に記載され、同発明の効果としては、防火ダンパーを頻繁に洗浄することができるもので、防火ダンパーの表面に形成される油の層が厚くならず、発火の危険性を低滅し、防火ダンパーの機構が正常に動作する可能性を向上できる点が段落〔００２１〕〔発明の効果〕に記載されている。 
【０００９】
さて、前記特許文献１に記載される通り従来の厨房設備における防火ダンパー設備についての清掃作業が定期的に遂行されることが切望され、同発明の防火ダンパー取付構造により前記記載の作用効果により防火ダンパーの着脱作業が容易に行えるのであるが、その反面既存の厨房設備の防火ダンパーに対して即座に対応することができるかというと当該防火ダンパー取付構造の実施に必須の取付枠及び防火ダンパーの少なくとも一方に設けられ、防火ダンパーを取付枠に取り付けるための締結具が要求され、具体的には特許文献１の図３、４の取付枠１０と防火ダンパー２０、並びに当該取付枠１０の第２枠つば部１４には受け具１６Ａ、１６Ｂと防火シリンダー２０のつば部２２にはクレセント錠２９Ａ、２９Ｂが装備されて居ることが必須となる。
【００１０】
従って、少なくとも、既存の防火ダンパー設備にこれらの装備が具備されていいなければ特許文献１の目的とする作用効果は得られず、前記取付枠１０と防火ダンパー２０の新たな設備との交換取付作業が要求される。
勢い、これらの交換取付作業は、飲食店の営業時間外の夜間等に遂行しなければならず、極めて困難な作業となり、新たな取付枠と防火ダンパー自体の費用に加えた設備作業費用が要求されるものである。
【００１１】
また、前記取付枠１０には、その構造上、枠本体部１１と第１枠つば部１３及び第２枠つば部１４が設けられ、枠本体部１１の穴１２に防火ダンパー２０の本体部２１の外径寸法が対応しなければならず、取付枠１０の第１枠つば部１３の内径に防火ダンパー２０のつば部２２の外径寸法が対応するものでなければならず、これらの構造上の条件を既存の防火ダンパーに要求することは、規格寸法の多種の条件上、不可能であり、既存の防火ダンパーに改良を加えた補修的な対応も不可能である。
因って、前記特許文献１の防火ダンパー取付構造の発明における作用効果を、既存の厨房設備の防火ダンパー設備にそのまま期待することは不可能である。
【００１２】
そして、同作用効果を得る実施に当たって新たな設備費用と設備作業費用（特に交換設備作業費用）が要求され、設備費用が嵩むことに加えて、困難な作業と長時間の作業時間が要求される欠点を有するものである。
【００１３】
また、例えば、実際の飲食店の現場における防火ダンパーの洗浄作業上、前記特許文献１の防火ダンパー取付構造が装備されていない現場では、既存の防火ダンパーの取り外し作業に加えて、必要な防火ダンパー取付構造の新たな装備作業が要求されるわけで、通常飲食店における清掃作業は、営業時間外の夜間に遂行せざるを得ない性質上、時間と場所等に制限があるため極めて困難である。
【００１４】
しかも、飲食店等の営業上、当該防火ダンパーのみの清掃作業ではなく、作業場の完全な洗浄仕上げには限度があり、防火ダンパーのみの清掃費に新たな装備費を費やすことには問題点が多く受け入れられない場合が多い。
【００１５】
更に、着脱作業の簡易性を解決し得たとしても、防火ダンパーを取り外した後の防火ダンパー自体の洗浄に必要な作業は、現場にて短時間に遂行しなければならない時間的な制約があり、例えば営業時間外の夜間の短時間の洗浄作業では、必要な洗浄作業が行えない場合には、それを無視した状態での洗浄にて再設置しなければならない場合もあり、完璧な清掃作業の遂行には限度があるのが実際であった。
【００１６】
因に、コストの嵩む防火ダンパーを含むグリスフィルター等のフード清掃を敬遠する飲食店はすくなくなく、定期的な清掃を行う店舗に於いても費用削減上、従業員が清掃作業を兼務する場合も多く、勢い、その場合には見た目重視の清掃となり、必要なフード清掃が無視されるとともにＦＳ/ＦＤあるいはＦＶＳ/ＦＶＤ自体の機能回復までの完全なオーバーホール作業を含めた清掃作業が遂行されないのが現況であった。
【００１７】
また、特許文献２は、排気ダクトの開口面が天井面付近において下向き又は斜め下向きに配置されている場合であっても、着脱作業中にダンパー本体が落下するおそれがなく片手で作業ができるように構成された排気ダクト用防火シャッターシステムを提供すべく提案されたものである。
【００１８】
しかるに、当該排気ダクト用防火シャッターシステムにおいても、前記目的、作用効果を達成するためには、既設の排気ダクト用防火シャッター装置において、新たにダンパー本体を仮係止するダンパー側仮係止部を有するダンパースロットと、ダンパー本体側には、自身がダンパースロット内の空間に挿入された状態で仮係止部と対となって自身をダンパースロットに対して仮係止するダンパー本体側仮係止部を設備するとともにダンパー本体のダンパー板のうち少なくとも２枚のダンパー板を片手で掴めるように開状態にて固定する固定部を設備しなければならない。
【００１９】
よって、特許文献２の排気ダクト用防火シャッターシステムにおいても、前記した特許文献１の防火ダンパー取付構造の考案における段落〔０００８〕〜〔００１５〕記載の構造上並びにその作業性において同様の欠点を有するものである。
【００２０】
よって、本考案は、特許文献１および２の防火ダンパー取付構造と排気ダクト用防火シャッターシステムによるコスト高の欠点を無くすとともに現場における防火ダンパー自体の洗浄作業と必要なメンテンナンスを即決することのできる防火ダンパーの取付装置の提供に加えてこの種の防火ダンパー装備に要求される多種のアタッチメントの装備をも簡易に行うことのできる多種機能型の取付装置の提供を目的とするものである。
【課題を解決するための手段】
【００２１】
本考案は、前記目的を達成するため、請求項１の考案、防火ダンパーの取付装置は、排気ダクトに防火ダンパーを着脱自在に取り付ける装置において、前記排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより構成した着脱用台座を、前記排気ダクトの開口部に介装し、前記防火ダンパーを着脱自在に取り付けることにより構成したことを特徴とする。
【００２２】
また、請求項２の考案は、請求項１の防火ダンパー取付装置において、前記着脱用台座は、前記固定フランジ部を前記排気ダクトの開口部に固定ネジを螺着して固定するとともに前記装通口を介して、前記防火ダンパーの本体部を装通し、該本体部の装通口への装通に関連して防火ダンパーの取付フランジ部の取付穴に、着脱用台座の接合フランジ部に立設した取付用ボルトを係合しつつ、前記防火ダンパーの取付フランジ部を着脱用台座の接合フランジ部に接合して重合し、かつ前記着脱用台座の取付用ボルトに固定ナットを螺着することにより前記防火ダンパーを着脱用台座に固定し、前記排気ダクトの開口部に前記着脱用台座を介装しつつ前記防火ダンパーを着脱自在に取り付けることにより構成したことを特徴とする。
【００２３】
そして、請求項３の考案は、請求項１または２の防火ダンパー取付装置において、前記防火ダンパー用の各種フィルターを着脱自在に装着したアタッチメントボックスを、前記着脱用台座の取付用ボルトを介して着脱自在に取り付けることにより構成したことを特徴とする。
【００２４】
さらに、請求項４の考案、防火ダンパー取付装置に使用する着脱用台座は、排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする。
【００２５】
そして、請求項５の考案、防火ダンパー取付装置は、排気ダクトに防火ダンパーを着脱自在に取り付ける装置において、前記排気ダクトの開口部に固定する固定フランジ部を設けるとともに前記防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口し、さらに前記固定フランジ部または前記接合フランジ部のいずれか一方に補助フランジ部を設けることにより構成した着脱用台座を、前記排気ダクトの開口部に介装し、前記防火ダンパーを着脱自在に取り付けることにより構成したことを特徴とする。
【００２６】
また、請求項６の考案は、請求項５の防火ダンパー取付装置において、前記着脱用台座は、前記固定フランジ部を前記排気ダクトの開口部に固定ネジを螺着して固定するとともに前記装通口を介して、前記防火ダンパーの本体部を装通し、該本体部の装通口への装通に関連して防火ダンパーの取付フランジ部の取付穴に、着脱用台座の接合フランジ部に立設した取付用ボルトを係合しつつ、前記防火ダンパーの取付フランジ部を着脱用台座の接合フランジ部に接合して重合し、かつ前記着脱用台座の取付用ボルトに固定ナットを螺着することにより前記防火ダンパーを着脱用台座に固定し、前記排気ダクトの開口部に前記着脱用台座を介装するとともに前記着脱用台座の固定フランジ部または接合フランジ部あるいはそのいずれか一方の補助フランジ部を排気ダクトの開口部に固定しつつ前記防火ダンパーを着脱自在に取り付けることにより構成したことを特徴とする。
【００２７】
さらに請求項７の考案は、請求項５または６の防火ダンパー取付装置において、前記防火ダンパー用の各種フィルターを着脱自在に装着したアタッチメントボックスを、前記着脱用台座の固定ボルトを介して着脱自在に取り付けることにより構成したことを特徴とする。
【００２８】
そして、請求項８の考案、防火ダンパーの取付装置に使用する着脱用台座は、排気ダクトの開口部に固定する固定フランジ部を設けるとともに前記防火ダンパーの取付フランジ部との接合フランジ部を設け、かつ前記固定フランジ部または前記接合フランジ部のいずれか一方に補助フランジ部を設け、さらに、該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする。
【考案の効果】
【００２９】
本考案によれば、着脱用台座の介装により防災ダンパーの着脱作業を簡易に迅速に遂行することができる結果、防火ダンパーに必要な洗浄、その他のメンテナンス作業を簡易、迅速に遂行することができるとともに防火ダンパーのメンテナンスに必要な費用を安価な費用にて行うことができ、極めて経済性に富むものであって、飲食店における防災対策の定期的なメンテナンスを大いに向上することができる。
【図面の簡単な説明】
【００３０】
【図１】本考案の実施例１を示す取付装置の平面図。
【図２】本考案の実施例１を示す取付装置の側断面図。
【図３】本考案の実施例１を示す防火ダンパーの取り付け方法を示す説明図。
【図４】（ａ）は本考案の実施例１を示す着脱用台座の平面図、（ｂ）は本考案の実施例１を示す着脱用台座の側面図。
【図５】本考案の実施例２を示す防火ダンパーの取付装置の着脱用台座の斜視図。
【図６】本考案の実施例３を示す取付装置の防火ダンパー用各フィルターに使用するアタッチメントボックスの斜視図。
【図７】本考案の実施例４を示す着脱用台座の斜視図。
【図８】本考案の実施例４の防火ダンパーの取付方法を示す説明図。
【図９】厨房における防火ダンパーの構成を示す説明図。
【図１０】厨房における防火ダンパーの構成を示す説明図。
【考案を実施するための形態】
【実施例１】
【００３１】
図１〜図５は、本考案の実施例１を示すもので、以下には、図１〜５とともに本考案の取付装置の実施例１を説明する。
図１〜３において、１は建造物に配備された排気ダクト、２は、当該排気ダクト１に取り付けた防火ダンパーである。
【００３２】
また、前記排気ダクト１及び防火ダンパー２については、建造物並びにこれに設備する図９、図１０の厨房設置の種類、規格に応じて必要な設計、寸法等によるもので、その詳細な説明については省略する。
尚、防火ダンパー２についても、前記したＦＳ/ＦＤあるいはＦＶＳ/ＦＶＤの規格に従う構成のもので、その詳細な説明は省略する。
【００３３】
しかして、前記排気ダクト１は、建造物の天面３に対して、そのダクト開口部４を開放した状態にて、装備されるとともに前記防火ダンパー２は、開閉ダンパー５を開閉自在に装備する本体６を、排気ダクト１のダクト開口部４内側に装入しつつ当該本体６の開口部７に突設される取付フランジ部８を介して、排気ダクトのダクト開口部４に取り付けるものである
【００３４】
尚、前記防火ダンパー２の開閉ダンパー５は、本体６に装備される温度ヒューズによる温度センサー９によって、防火ダンパー２を通過する排気温度を感知しつつ開閉ダンパー５を開閉制御する点の構成については公知の構成によるものである。
そこで、本考案の実施例１による前記排気ダクト１のダクト開口部４に防火ダンパー２を取り付ける構成については、図１〜４に示す着脱用台座１０を使用する。
【００３５】
すなわち前記着脱用台座１０は、排気ダクト１のダクト開口部４に固定する固定フランジ部１１を設けることともに中央部には防火ダンパー２０の本体６を装通するための装通口１２を開口し、かつ防災ダンパー２の取付フランジ部８を接合しつつ重合する接合フランジ部１３を設けるとともに当該接合フランジ部８に開口する取付穴１４に係合する取付用ボルト１５を立設することにより板状のプレート（例えば亜鉛メッキ鉄板あるいはステンレス等のプレート）にて一体的に形成する。
【００３６】
よって、前記着脱用台座１０を排気ダクト１のダクト開口部４に介装しつつ防火ダンパー２を着脱自在に取り付ける場合には、図３に示す如く当該着脱用台座１０の固定フランジ部１１を、排気ダクト１のダクト開口部４のダクト開口縁４ａに接合しつつ固定ネジ１６を螺着して固定する。
【００３７】
尚、着脱用台座１０の固定に際しては、当然その装通口１２を排気ダクト１のダクト開口部４に対応せしめて固定する。
そして、かかる着脱用台座１０の固定に先き立って防火ダンパー２の取付フランジ部８には、着脱用台座１０の接合フランジ部１３に立設した取付用ボルト１５との対応位置に、これを係合する取付穴１４を開口して置くものである。
【００３８】
そこで、防火ダンパー２を排気ダクト１のダクト開口部４に取り付ける場合には、図３に示すように防火ダンパー２の本体６を着脱用台座１０の装通口１２を介して、排気ダクト１のダクト開口部４の内側に装入する。
【００３９】
また、かかる防火ダンパー２の本体６の装入操作時には、取付フランジ部８の取付穴１４を着脱用台座１０の接合フランジ部１３に立設した取付用ボルト１５に係合しつつ装入するとともに、取付フランジ部８を着脱用台座１０の接合フランジ部１３に接合しつつ重合する。
【００４０】
しかるに後に、着脱用台座１０の取付用ボルト１５に蝶ナット１７螺着することにより、防火ダンパー２の取付フランジ部８を着脱用台座１０の接合フランジ部１３に接合しつつ固定することができ、同時に排気ダクト１に対する防火ダンパー２の取付作業を完了することができる。
【００４１】
また、かかる取付状態により防火ダンパー２の取り外し作業は、着脱用台座１０の取付用ボルト１５の蝶ナット１７を外すことにより簡単に実施することができる。
【００４２】
すなわち、排気ダクト１に対する防火ダンパー２の着脱作業は、排気ダクト１のダクト開口部４に対する着脱用台座１０の固定作業による介装作業に加えて防火ダンパー２は、取付用ボルト１５に対する蝶ナット１７による取り付け、取り外し作業にて簡単かつ迅速に遂行することができる。
【００４３】
そして、既存の厨房設備に装備される防火ダンパー２については、着脱用台座１０の取付用ボルト１５を係合するための取付穴１４を開口する簡単な作業により完了でき、対応についても困難性は全く存在しないものである。
【００４４】
従って、既存の防火ダンパー２の洗浄等のメンテナンスに必要な作業時間についても飲食店の営業時間外の限定された作業時間の範囲内にて迅速に完了することができる。
【００４５】
しかも、防火ダンパー２に対する規格品の種類については、一般的な飲食店の防火ダンパー２の規格品に対応し得る数種類の規格品防火ダンパー２を予め準備して用意することにより使用中の防火ダンパー２を取り外し、用意した防火ダンパー２を取り付けることによる交換作業にて洗浄等のメンテナンスに必要な作業を完了することができる利点を有する。
【００４６】
また、従来のように取り外した防火ダンパー２の洗浄等のメンテナンス作業を現場においてする場合の作業に換えて前記交換作業により完全なメンテナンス作業を簡単、迅速に遂行し得る利点に加えて交換後の防火ダンパー２の洗浄等のメンテナンス作業は、メンテナンス業者の作業場において実施され、メンテナンス後の防火ダンパー２は新たな防火ダンパー２の設備現場に必要に応じて利用し得るものでその点の経済上の利点もある。
【００４７】
特に排気ダクト１に対する防火ダンパー２の着脱自在な取り付けに要求される着脱用台座１０については、その構成がシンプルで安価に製造することができるとともに、場合によっては防火ダンパー２のメンテナンス作業に応じて使い捨て式にすることも可能で、極めて経済性に富み前記作業性に富む点との相乗性により飲食店等の厨房設備のメンテナンス費用の出費に対する敬遠されがちであった定期的な防火ダンパー２等の洗浄、メンテナンスをも可能とし防災対策の向上につながるものである。
【実施例２】
【００４８】
尚、前記実施例１における着脱用台座１０の構成に当たっては排気ダクト１のダクト開口部４に対する固定フランジ部１１を設けるとともに、防火ダンパー２の取付フランジ部８を接合する接合フランジ部１３を設けることにより構成する場合の実施例を図１〜４において図示してのであるが、これらの構成は着脱用台座１０を形成する一枚のプレートにおいて、中央部の装通口１２の開口縁に形成する幅員について排気ダクト１のダクト開口部４及び防火ダンパー２のダクト開口部４のダクト開口縁４ａに突設される取付フランジ部８の幅寸法に対応する幅寸法の固定及び接合フランジ部１１、１３を兼用し得る幅寸法のフランジ部を形成すれば足りるものである。
【００４９】
よって、図５に示す本考案の実施例２に係る着脱用台座１０については、防火ダンパー２の本体６を装入する装通口１２を開口するとともに、この装通口１２の開口縁に突設したフランジ部１８に左右両側のフランジ部１８ａ、１８ｂによって固定フランジ部１１、１３を形成するとともに前後両側のフランジ部１８ｃ、１８ｄに固定フランジ部１１を形成することにより構成した場合の実施例２を示すものである。
【００５０】
従って、同図の着脱用台座１０の場合の取付用ボルト１５は、左右両側のフランジ部１８ａ、１８ｂに立設するとともに同フランジ部１８ａ、１８ｂには、排気ダクト１のダクト開口部４に対する固定ネジ１６の打設用のネジ穴１９を設けることにより構成し、かつ前後両側のフランジ部１８ｃ、１８ｄには固定ネジ１６の打設用のネジ穴１９を設けることにより構成されている。
【００５１】
尚、着脱用台座１０の形状については、図示の方形に限定されず排気ダクト１のダクト開口部４と防火ダンパー２の取付フランジ部８の形状寸法に対応する形状、寸法によって構成するもので、長方形あるいはその他の多角形、円形等の所要の形状、寸法、またデザイン状の所要形状、寸法により構成することができる。
【００５２】
また、取付用ボルト１５及び固定ネジ１６の数並びに位置等についても、図示の数、位置における実施例に限定されず必要に応じて増減かつ所要位置に設けて実施するものである。
【実施例３】
【００５３】
図６は本考案の実施例３を示すものである。同図において、２０はアタッチメントボックスで、当該アタッチメントボックス２０は取付用プレート２１にボックス本体２２を設けるとともに該ボックス本体２２には、防火ダンパー２のメンテナンス上必要とされる防油フィルター２３を備えるフィルター２４を着脱自在に装着されている。
【００５４】
また、前記取付用プレート２１には、実施例１の着脱用台座１０の取付用ボルト１５に取り付けるための取付穴２５を開口することにより構成されている。
【００５５】
しかして、前記アタッチメントボックス２０は、実施例１の防火ダンパー２を取り付けて実施することに加えて、取り付けた防火ダンパー２のメンテナンス上要求される各種フィルター、例えば防火ダンパー２のグリスによる汚損を防止して、当該防火ダンパー２の温度センサー検知機能を保護するフィルターとしての金属メッシュ、不蝕布等によるフィルターまたは防火ネット等のフィルターを装備する場合に使用するもので、前記実施例１の着脱用台座１０の取付用ボルト１５に対して、予め前記アタッチメントボックス２０の取付用プレート２１を取り付けることができるようにその寸法を考慮して構成する。
【００５６】
すなわち、防火ダンパー２の取り付けに加えてアタッチメントボックス２０の取付用プレート２１の取付穴２５を着脱用台座１０の取付用ボルト１５に係合しつつ取付用プレート２１を着脱用台座１０の接合フランジ１３に接合して重合することによりアタッチメントボックス２０を着脱用台座１０にセットするとともに取付用ボルト１５に蝶ネジ１７を螺着して固定することにより着脱用台座１０の装通口１２にアタッチメントボックス２０を取り付けることができる。
【００５７】
また、ボックス本体２２に実施例１において取り付けた防火ダンパー２に必要な各種フィルター、例えば防油フィルター２３を装備したフィルター２４を着脱自在に装備した実施が可能となる。
【００５８】
従って、アタッチメントボックス２０のボックス本体２２に着脱自在に装備する各種フィルターによるメンテナンスの実施が可能であるとともにボックス本体２２に装備するフィルター２４に換えて、他のメンテナンスに必要な装備を着脱自在に装備することにより防火ダンパー２に対する所要のメンテナンス装備の装着が可能となる。
【実施例４】
【００５９】
図７、８は本考案の実施例４を示すもので、図７は前記実施例１における着脱用台座１０とは別の構成からなる着脱用台座３０を使用する防火ダンパーの取付方法を示す説明図である。
【００６０】
よって、当該実施例４の防火ダンパー取付装置は図７の着脱用台座３０を使用して、排気ダクト１に防火ダンパー２を着脱自在に取り付けるものである。
すなわち、図７に示す着脱用台座３０は、接合フランジ部１３の外側に補助フランジ部３１を添設することにより構成したものである。
尚、その他の構成は実施例１の着脱用台座１０と同一であるのでその構成の説明については同一番号を付して省略する。
【００６１】
しかして、その取付方法については、当該実施例４の着脱用台座３０を使用して防火ダンパー２を排気ダクト１に取り付ける場合には、図８に示す通りであって、これまた実施例１の図３に示す取付方法と同様であるのでその説明は省略する。
【００６２】
しかるに、当該着脱用台座３０に取り付け固定した防火ダンパー２の規格寸法上の外形寸法が排気ダクト１のダクト寸法（内径寸法）に適合できず排気ダクト１のダクト開口部４における取り付け位置にズレが発生することがある。
排気ダクト１のダクト開口部４における防火ダンパー２の外形寸法と排気ダクト１のダクト寸法（内径寸法）間における寸法誤差の発生原因は排気ダクト１のハゼの存在によって、内径が突出する場合があるとともに設備工程におけるゆがみの発生等に起因する。
【００６３】
従って、こうした排気ダクト１の内径寸法に対する防火ダンパー２の外形寸法（規格寸法）間の寸法誤差が発生すると排気ダクト１のダクト開口部４における排気ダクト１の内径と防火ダンパー２の外径間の中心軸線位置をズラして取り付ける必要性が発生する。
【００６４】
すなわち、その場合には排気ダクト１のダクト開口部４に対する着脱用台座３０の固定フランジ部１１を螺着する固定ネジ１６の螺着位置をズラして調整する必要性が発生する。
例えば、既存の固定位置あるいは規格寸法上からの固定位置により固定することができなくなることが発生するもので、このような場合には着脱用台座３０の固定フランジ部１１の幅員により吸収しつつ固定ネジ１６の固定位置を変更しつつ螺着作業を実施する。
【００６５】
しかし、両者間の中心軸線のズレを固定フランジ部１１の幅員により対応できない状況が発生した場合には、図７に示す着脱用台座３０の接合フランジ部１３の外側に添設した補助フランジ部３１を介して取り付け固定することができる。
排気ダクト１のダクト開口部４に対する固定位置のズレにより固定フランジ部１１による固定ネジ１６の取付ができない場合には、接合フランジ部１３に添設した補助フランジ部３１を介してダクト開口部４との対応位置に対して図示の固定ネジ穴３２に固定ネジ１６を螺着しつつ固定することにより対応することができる。
【００６６】
すなわち、本実施例４の着脱用台座３０の補助フランジ部３１により排気ダクト１の内径寸法と防火ダンパー２の外形寸法間における寸法誤差等により発生する両者間の中心軸線上の位置ズレを吸収しつつ現場における取り付け作業を適確に実施することが可能となるのである。
【００６７】
なお、着脱用台座３０の構成中、前記補助フランジ部３１については図示の場合、接合フランジ部１３の外側に添設した場合を示したがこれを固定フランジ部１１の外側に添設して実施することも勿論可能であって、接合フランジ部１３または固定フランジ部１１のいずれか一方に補助フランジ部３１を添設すれば足りるが、両者あるいは両者いずれか一方の外側にそれぞれ添設する等の適宜の実施が可能で図示の実施例に限定されるものではない。
【００６８】
また、当該実施例４の防火ダンパー取付装置においても実施例１と同様に図６のアタッチメントボックス２０を適応した実施が可能である。
【符号の説明】
【００６９】
１              排気ダクト
２              防火ダンパー
３              天面
４              ダクト開口部
４ａ            ダクト開口縁
５              開閉ダンパー
６              本体
７              開口部
８              取付フランジ部
９              温度センサー
１０            着脱用台座
１１            固定フランジ部
１２            装通口
１３            接合フランジ部
１４            取付穴
１５            取付用ボルト
１６            固定ネジ
１７            蝶ナット
１８            フランジ部
１８ａ          フランジ部
１８ｂ          フランジ部
１８ｃ          フランジ部
１８ｄ          フランジ部
１９            ネジ穴
２０            アタッチメントボックス
２１            取付用プレート
２２            ボックス本体
２３            防油フィルター
２４            フィルター
２５            取付穴
３０            着脱用台座
３１            補助フランジ部
３２            固定ネジ穴
１００          排気ダクト
１０１          燃焼設備
１０２          火源
１０３          グリスフィルター
１０４          ＦＤ
【図１】
0003204122.tif 000003
【図２】
0003204122.tif 000004
【図３】
0003204122.tif 000005
【図４】
0003204122.tif 000006
【図５】
0003204122.tif 000007
【図６】
0003204122.tif 000008
【図７】
0003204122.tif 000009
【図８】
0003204122.tif 000010
【図９】
0003204122.tif 000011
【図１０】
0003204122.tif 000012
【手続補正書】
【提出日】平成28年3月7日(2016.3.7)
【手続補正１】
【補正対象書類名】明細書
【補正対象項目名】００２４
【補正方法】変更
【補正の内容】
【００２４】
さらに、請求項４の考案、防火ダンパー取付装置に使用する着脱用台座は、排気ダクトの開口部に固定する固定フランジ部を設けるとともに防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする。
【手続補正２】
【補正対象書類名】明細書
【補正対象項目名】００２８
【補正方法】変更
【補正の内容】
【００２８】
そして、請求項８の考案、防火ダンパーの取付装置に使用する着脱用台座は、排気ダクトの開口部に固定する固定フランジ部を設けるとともに防火ダンパーの取付フランジ部との接合フランジ部を設け、かつ前記固定フランジ部または前記接合フランジ部のいずれか一方に補助フランジ部を設け、さらに、該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする。
【手続補正３】
【補正対象書類名】実用新案登録請求の範囲
【補正対象項目名】請求項４
【補正方法】変更
【補正の内容】
【請求項４】
排気ダクトの開口部に固定する固定フランジ部を設けるとともに防火ダンパーの取付フランジ部との接合フランジ部を設け、かつ該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする排気ダクトに防火ダンパーを着脱自在に取り付ける防火ダンパーの取付装置に使用する着脱用台座。
【手続補正４】
【補正対象書類名】実用新案登録請求の範囲
【補正対象項目名】請求項８
【補正方法】変更
【補正の内容】
【請求項８】
排気ダクトの開口部に固定する固定フランジ部を設けるとともに防火ダンパーの取付フランジ部との接合フランジ部を設け、かつ前記固定フランジ部または前記接合フランジ部のいずれか一方に補助フランジ部を設け、
さらに、該接合フランジ部に前記防火ダンパーの取付フランジ部に開口した取付穴に係合して、防火ダンパーの取付フランジ部を固定する取付用ボルトを立設するとともに中央部に前記防火ダンパーの本体部を装通する装通口を開口することにより、板状の一枚のプレートにて構成したことを特徴とする排気ダクトに防火ダンパーを着脱自在に取り付ける防火ダンパーの取付装置に使用する着脱用台座。